(57)【要約】【課題】面積的あるいは空間的に広がりを持った測定を行う際に好適な測定器用データ収集装置を提供する。【解決手段】測定を行う複数の位置に関する情報を設定するとともに、測定値の時間変化量の表示の指示及び測定値の取り込みを指示するための入力部２と、設定された複数の位置に関する情報を表示するとともに、測定する測定位置を示す情報を識別可能に表示し、当該識別可能に表示している一の測定位置の測定値の時間変化量を実時間で図形表示する表示部４と、各測定位置に対応させて各測定値を記憶する記憶部３と、入力部２による測定値の取り込み指示に応じ、表示部４に識別可能に表示されている測定位置に対応させて測定値を記憶させる制御部１とを備えている。【選択図】            図１
2004245819.tif 000002
【特許請求の範囲】
【請求項１】
測定を行う複数の位置に関する情報を設定するとともに、測定値の時間変化量の表示の指示及び測定値の取り込みの指示を入力するための入力部と、
前記入力部によって設定された測定を行う複数の位置に関する情報を表示するとともに、その複数の位置のなかから測定する一の測定位置を示す情報を識別可能に表示し、かつ、前記入力部による測定値の時間変化量の表示の指示に応じて、該識別可能に表示している一の測定位置の測定値の時間変化量を実時間で図形表示する表示部と、
前記入力部によって設定された各測定位置に対応させて各測定値を記憶する記憶部と、
前記各部及び測定値の入力を制御するとともに、前記入力部による測定値の取り込み指示に応じて、前記表示部に識別可能に表示されている一の測定位置に対応させて入力した測定値を前記記憶部に記憶させる制御部と
を備えることを特徴とする測定器用データ収集装置。
【請求項２】
前記記憶部が、前記入力部による測定値の取り込み指示に応じて記憶した測定値とともに、当該測定値の時間変化量を記憶する
ことを特徴とする請求項１記載の測定器用データ収集装置。
【請求項３】
前記表示部が、前記記憶部に記憶されている複数の測定値を相対的に図形によって表示する
ことを特徴とする請求項１又は２記載の測定器用データ収集装置。
【請求項４】
前記表示部が、前記制御部によって入力中の測定値を逐次表示する
ことを特徴とする請求項１〜３のいずれか１項記載の測定器用データ収集装置。
【請求項５】
測定を行う複数の位置に関する情報を設定する第１の過程と、
設定された測定を行う複数の位置に関する情報を表示するとともに、その複数の位置のなかから測定する一の測定位置を示す情報を識別可能に表示する第２の過程と、
識別可能に表示している一の測定位置の測定値の時間変化量を実時間で図形表示する第３の過程と、
測定値の取り込み指示を入力する第４の過程と、
測定値の取り込み指示に応じて、識別可能に表示している一の測定位置に対応させて、入力した測定値を記憶する第５の過程と
を含むことを特徴とする測定器用データ収集方法。
【請求項６】
測定を行う複数の位置に関する情報を設定する第１の過程と、
設定された測定を行う複数の位置に関する情報を表示するとともに、その複数の位置のなかから測定する一の測定位置を示す情報を識別可能に表示する第２の過程と、
識別可能に表示している一の測定位置の測定値の時間変化量を実時間で図形表示する第３の過程と、
測定値の取り込み指示を入力する第４の過程と、
測定値の取り込み指示に応じて、識別可能に表示している一の測定位置に対応させて、入力した測定値を記憶する第５の過程と
をコンピュータによって実行させるためのプログラム。
【請求項７】
請求項６記載のプログラムを記録したコンピュータ読み取り可能な記録媒体。
【請求項８】
測定を行う複数の位置に関する情報を設定するとともに、測定値の取り込みの指示および測定値の極性変換に関する指示を入力するための入力部と、
前記入力部によって設定された測定を行う複数の位置に関する情報を表示するとともに、その複数の位置のなかから測定する一の測定位置を示す情報を識別可能に表示する表示部と、
前記入力部によって設定された各測定位置に対応させて各測定値を記憶する記憶部と、
前記各部及び測定値の入力を制御するとともに、前記入力部による測定値の取り込み指示に応じて前記表示部に識別可能に表示されている一の測定位置に対応させて入力した測定値を前記記憶部に記憶させ、かつ前記記憶部に測定値を記憶する前に又は記憶した後に前記入力部による測定値の極性変換に関する指示に応じて測定値の極性を変換する制御部と
を備えることを特徴とする測定器用データ収集装置。
【請求項９】
前記入力部はさらに測定値の時間変化量の表示の指示を入力する機能を有し、
前記表示部はさらに前記入力部による測定値の時間変化量の表示の指示に応じて識別可能に表示している一の測定位置の測定値の時間変化量を実時間で図形表示する機能を有する
ことを特徴とする請求項８記載の測定器用データ収集装置。
【請求項１０】
測定を行う複数の位置に関する情報を設定するとともに、測定値の取り込みの指示および測定値の極性変換に関する指示を入力するための入力過程と、
前記入力過程で設定された測定を行う複数の位置に関する情報を表示するとともに、その複数の位置のなかから測定する一の測定位置を示す情報を識別可能に表示する表示過程と、
測定値の入力を制御するとともに、前記入力過程で入力された測定値の取り込み指示に応じて前記表示過程で識別可能に表示された一の測定位置に対応させて入力した測定値を所定の記憶部に記憶し、かつ該所定の記憶部に測定値を記憶する前に又は記憶した後に前記入力過程で入力された測定値の極性変換に関する指示に応じて測定値の極性を変換する制御過程と
を含むことを特徴とする測定器用データ収集方法。
【発明の詳細な説明】
【０００１】
【発明の属する技術分野】
本発明は、建築、土木、物理学、その他測定に関わる種々の分野で、測定器から入力される測定信号を集録及び解析・チェックする際に用いて好適な測定器用データ収集装置及びデータ収集方法に関するものであり、建築物内の温度、湿度、電界などの測定、あるいはその他の屋外での同じ様な測定であって、面積的あるいは空間的に広がりを持った測定を行う際に利用するのに適するものである。
【０００２】
【従来の技術】
測定器にはさまざまな種類のものはあったが、記録の機能は別に設けることが多かった。この場合には測定したデータを記録しておく作業と、整理する作業と、更に解析する作業とを、測定作業とは別に考慮しなければならなかった。
【０００３】
また、測定器とは別の機器として、磁気テープ、フレキシブルディスク、紙などの媒体を利用するデータレコーダはあったが、通常、記録したデータが個々に何を意味するのかは測定者が個々に記録しなければならなかった。つまり、例えば複数の異なる測定位置（場所）について測定器自体あるいは測定器のプローブを移動させながら測定するような場合、各データがどの測定位置のものなのかを示すデータは、音声によって入力したり、字句によって入力したりされていた。そのため、測定データの記録とそれらの意味を示すデータの記録とのために複数の作業が必要となり、時間にゆとりの有る場合には良いが、急ぐ場合には些か作業が煩雑になり、また急ぐ作業を行うことで誤りを生じる恐れも有った。
【０００４】
また、記録したデータに誤りが生じているかを測定現場でチェックするための汎用的な方法は確立されていなかった。そのため、チェック作業における作業性を向上させたり、あるいは誤りを生じないための方法は個々に測定者が考慮しなければならなかった。
【０００５】
また、測定器に記録の機能が伴っているものも有ったが、このようなものでは測定器と記録器が一つで済むので可搬性は優れるが、記録作業に関しては上記の様にデータレコーダと同じような欠点が有った。つまり、記録したデータが個々に何を意味するのかは測定者が個々に記録しなければならないという問題があった。
【０００６】
また、カメラに、計測機能を付加して、計測結果の一部を画像情報と共に記録し、残りの情報を別途設けられたデータ記録装置に記録するようにした測定器も提案されている（例えば、特許文献１参照）。
【０００７】
また、ナショナルインスツルメンツ社のＬａｂｖｉｅｗ（同社の登録商標）の様に測定プログラムを組むことで、上述したような各機能を同時に実現するシステムがある（例えば、特許文献２参照）。
【０００８】
また、この発明に関連する他の従来の技術として、測定結果の状態を容易に把握するための視覚化の技術がある（例えば、特許文献３、４参照）。
【０００９】
【特許文献１】
特開平８−１９０１４５号公報（第６頁、第４図）
【特許文献２】
特許第３０１６７８３号公報（第９−１０頁、第４図）
【特許文献３】
特開平７−１１１６６５号公報（第２−３頁、第２図）
【特許文献４】
特開２０００−２５８５３８号公報（第４頁、第２図）
【００１０】
【発明が解決しようとする課題】
しかしながら、特許文献１の図１、図２等に示す情報機能付きカメラにあっては、各測定値の時間変化量を視覚的に容易に把握することができないという課題がある。また特許文献２のコンピュータプログラム方法にあっては、測定機能ごとに新しく測定プログラムを組むなどの手間が掛かるという課題があった。
【００１１】
本発明は、従来の技術における上記のような事情を考慮し、次のような課題の一部または全部を解決することができる測定器用データ収集装置及びデータ収集方法を提供することを目的とする。▲１▼データ収集を単純な操作で行える。▲２▼多次元データでも入力をワンタッチで行える。▲３▼データを監視しながら入力を行える。▲４▼各データが常に何処のデータであるかがわかる状態で記録される。▲５▼収集データを簡単にグラフやコンターに表せる。▲６▼記録したデータを読みだして確認し修正を行うことができる。▲７▼データ収集装置は軽く小型で電池で動き、屋外でも自由に使える。
【００１２】
また、上記のように複数の異なる測定位置について測定器自体あるいは測定器のプローブを移動させながら測定するような場合には、例えば図１５に示すように測定エリア１５１の端部１５１ａ、１５１ｂ、…等において測定プローブ５１が破線で示すような通常の向きにならないことがある。従来そのような場合には、測定プローブ５１の向きを変えて測定しておき、その向きの変更を記録しておいたり、覚えておいたりして、後で所定の操作をして補正することが行われていた。例えば測定範囲の端で測定プローブの方向が逆になる場合には、取得されたデータが逆向きのデータになってしまう。これを訂正するためにデータ整理の段階で補正する作業が一工程必要になっていた。
【００１３】
上記のように従来、測定範囲の端の部分では向きが違ったデータが集められる場合がある。それを整理する際には、書類に記録したものや記憶を頼りにしてデータの方向を入れ替えるなどの作業が必要であった。そのため、作業の煩わしさが増したり、場合によっては入れ替え作業を忘れてしまい、誤データをそのまま整理してしまうことがあった。本発明は、このような事情を考慮し、測定の際の記録作業や整理作業、あるいは解析作業における煩雑性を低減することを目的とするものである。より具体的には、測定現場で即時に方向や向きの補正が行えるようにすることで、測定時間を短縮したり、測定現場での整理の手間を低減したり、分布グラフ等の表示を簡単に正しく行うことができる測定器用データ収集装置及びデータ収集方法を提供することを他の目的とする。
【００１４】
【課題を解決するための手段】
上記課題を解決するため、請求項１記載の発明は、測定を行う複数の位置に関する情報を設定するとともに、測定値の時間変化量の表示の指示及び測定値の取り込みの指示を入力するための入力部と、前記入力部によって設定された測定を行う複数の位置に関する情報を表示するとともに、その複数の位置のなかから測定する一の測定位置を示す情報を識別可能に表示し、かつ、前記入力部による測定値の時間変化量の表示の指示に応じて、該識別可能に表示している一の測定位置の測定値の時間変化量を実時間で図形表示する表示部と、前記入力部によって設定された各測定位置に対応させて各測定値を記憶する記憶部と、前記各部及び測定値の入力を制御するとともに、前記入力部による測定値の取り込み指示に応じて、前記表示部に識別可能に表示されている一の測定位置に対応させて入力した測定値を前記記憶部に記憶させる制御部とを備えることを特徴とする。請求項２記載の発明は、前記記憶部が、前記入力部による測定値の取り込み指示に応じて記憶した測定値とともに、当該測定値の時間変化量を記憶することを特徴とする。請求項３記載の発明は、前記表示部が、前記記憶部に記憶されている複数の測定値を相対的に図形によって表示することを特徴とする。請求項４記載の発明は、前記表示部が、前記制御部によって入力中の測定値を逐次表示することを特徴とする。
【００１５】
請求項５記載の発明は、測定を行う複数の位置に関する情報を設定する第１の過程と、設定された測定を行う複数の位置に関する情報を表示するとともに、その複数の位置のなかから測定する一の測定位置を示す情報を識別可能に表示する第２の過程と、識別可能に表示している一の測定位置の測定値の時間変化量を実時間で図形表示する第３の過程と、測定値の取り込み指示を入力する第４の過程と、測定値の取り込み指示に応じて、識別可能に表示している一の測定位置に対応させて、入力した測定値を記憶する第５の過程とを含むことを特徴とする。請求項６記載の発明は、測定を行う複数の位置に関する情報を設定する第１の過程と、設定された測定を行う複数の位置に関する情報を表示するとともに、その複数の位置のなかから測定する一の測定位置を示す情報を識別可能に表示する第２の過程と、識別可能に表示している一の測定位置の測定値の時間変化量を実時間で図形表示する第３の過程と、測定値の取り込み指示を入力する第４の過程と、測定値の取り込み指示に応じて、識別可能に表示している一の測定位置に対応させて、入力した測定値を記憶する第５の過程とをコンピュータによって実行させるためのプログラムである。請求項７記載の発明は、請求項６記載のプログラムを記録したコンピュータ読み取り可能な記録媒体である。
【００１６】
請求項８記載の発明は、測定を行う複数の位置に関する情報を設定するとともに、測定値の取り込みの指示および測定値の極性変換に関する指示を入力するための入力部と、前記入力部によって設定された測定を行う複数の位置に関する情報を表示するとともに、その複数の位置のなかから測定する一の測定位置を示す情報を識別可能に表示する表示部と、前記入力部によって設定された各測定位置に対応させて各測定値を記憶する記憶部と、前記各部及び測定値の入力を制御するとともに、前記入力部による測定値の取り込み指示に応じて前記表示部に識別可能に表示されている一の測定位置に対応させて入力した測定値を前記記憶部に記憶させ、かつ前記記憶部に測定値を記憶する前に又は記憶した後に前記入力部による測定値の極性変換に関する指示に応じて測定値の極性を変換する制御部とを備えることを特徴とする。請求項９記載の発明は、前記入力部はさらに測定値の時間変化量の表示の指示を入力する機能を有し、前記表示部はさらに前記入力部による測定値の時間変化量の表示の指示に応じて識別可能に表示している一の測定位置の測定値の時間変化量を実時間で図形表示する機能を有することを特徴とする。
【００１７】
請求項１０記載の発明は、測定を行う複数の位置に関する情報を設定するとともに、測定値の取り込みの指示および測定値の極性変換に関する指示を入力するための入力過程と、前記入力過程で設定された測定を行う複数の位置に関する情報を表示するとともに、その複数の位置のなかから測定する一の測定位置を示す情報を識別可能に表示する表示過程と、測定値の入力を制御するとともに、前記入力過程で入力された測定値の取り込み指示に応じて前記表示過程で識別可能に表示された一の測定位置に対応させて入力した測定値を所定の記憶部に記憶し、かつ該所定の記憶部に測定値を記憶する前に又は記憶した後に前記入力過程で入力された測定値の極性変換に関する指示に応じて測定値の極性を変換する制御過程とを含むことを特徴とする。
【００１８】
【発明の実施の形態】
以下、図面を参照して本発明の実施の形態について説明する。まず、図１を参照して本発明による測定器用データ収集装置の一実施の形態についてその基本的な構成および主な機能について説明する。
【００１９】
図１に示す測定器用データ収集装置は、各部を制御する制御部１と、制御部１の周辺装置としてそれぞれ機能する入力部２、記憶部３、表示部４、および測定器部５とから構成されている。制御部１は、中央処理装置とメモリ等のその周辺装置とから構成されていて、プログラム制御によって各機能を実現する。この制御部１は、測定値が交流波形等で時間変化を有するものである場合に、その実効値を計算するための実効値計算（演算）機能１１を備えている。
【００２０】
入力部２は、操作者（測定者）によって入力されたデータを制御部１へと入力するものであって、例えばキーボード、マウス、ポインタ、各種スイッチ、あるいは表示部４と一体に設けられたタッチパネル等から構成されている。この入力部２を用いて、記憶部３に測定条件、測定結果等を示すデータを記憶する際のファイル名を設定するための名称設定機能２１と、表示部４で測定値の波形をリアルタイムで表示する際の時間の長さ（範囲）を設定するための波形長設定機能２２とが実現される。
【００２１】
記憶部３は、制御部１を動作させるプログラムや、測定条件、測定結果等を記憶する記憶装置であって、例えば、ハードディスク、光ディスク、磁気光ディスク、半導体メモリ等から構成されている。すなわち、この記憶部３によって、操作者が測定を指示した時刻における測定値の数値データや、その時刻近傍の複数の測定値の数値データからなる波形データを記憶するための波形／数値記録機能３１が実現される。
【００２２】
表示部４は、制御部１の制御によって文字や図形を表示するものであって、液晶ディスプレイ、ＣＲＴ（陰極線管）等によって構成されている。表示部４によって、各測定値を数値表示するための数値表示機能４１と、各測定値の時間変化量を示す波形を図形表示するための波形表示機能４２とが実現される。
【００２３】
測定器部５は、温度、湿度、電界等の測定を行うための測定プローブ５１、測定プローブ５１の出力信号を増幅するアンプ５２、アンプ５２のアナログ出力をデジタル信号に変換するＡ／Ｄ変換器（アナログ−デジタル変換器）５３、図示していないＡ／Ｄ変換器５３と制御部１とのインターフェースとなる部分等から構成されている。その測定プローブ５１等とインターフェース等とは、制御部１に対して交換可能となっている。ただし、インターフェース等の装置は、制御部１に含まれていてもよい。
【００２４】
なお、図１に示す例では、測定器部５も、本発明による測定器用データ収集装置の一構成要素であるとしているが、本発明において測定器部５は任意の測定機器とすることが可能である。つまり、本発明のデータ収集装置においては、測定器部５は、必ずしも本発明を特定するための必須の構成要素とはならない。
【００２５】
次に、図１に示す測定器用データ収集装置を用いて、ある被測定量について空間的あるいは平面的に異なる複数の位置で複数のデータの測定を行う場合の動作例について説明する。
【００２６】
まず、操作者は、予め入力部２を操作して、測定する複数の位置、測定値や測定条件を記憶する際のファイル名、および測定値の波形をリアルタイムで表示する際の時間の長さを入力する。記憶部３は、入力された複数の測定位置に一連の番号を付けそれを記憶する。その際、記憶部３には、各測定番号に対応させて、各測定データを記録するための複数の記憶領域が確保される。
【００２７】
測定を行う際、制御部１は、操作者の選択操作に応じて、あるいは、記憶部３に記憶されている各測定番号に対応する測定位置を示す情報を自動的に読み出して、測定すべき位置を示す文字や図形の情報を表示部４に表示させる。表示部４は、複数の測定位置のすべてについて、それを示す２次元または３次元の配置図を表示するとともに、測定すべき１つの測定位置を示す情報を強調して表示する。例えば、表示形態（形状）を変えたり、表示色を変えたり、点滅表示させたりして強調表示されていないものから識別可能に表示する。ここで操作者は、表示部４に表示された情報に基づいてあるいは選択操作に先立って所定の測定位置に測定器部５を移動させる。表示部４はまた、測定器部５によって測定中の測定データを所定の表示領域にリアルタイムで数値表示するとともに、入力部２で時間変化量の表示指示がなされた場合には測定値の時間変化量を示す波形をグラフ表示によって入力部２で指定された時間分表示する。
【００２８】
そして、その測定位置について測定準備が整ったところで、操作者は入力部２に所定の入力操作を行う。例えば、記録を指示する操作子を操作したり、その旨の表示を、入力部２をなすポインタやマウスによって選択したりする。
【００２９】
入力部２に記録を指示する所定の操作が行われると、制御部１は、その操作時に取り込んだ測定データを、記憶部３内で、その時点で測定すべき１つの測定位置として表示部４で強調表示されている測定位置の番号に対応して確保されている記憶領域に記録する。制御部１は、また、測定波形の記録が指示されている場合には、その操作時点の測定データに加え、設定された時間長分の過去の測定データも測定位置の番号に対応して確保されている他の記憶領域に同時に記録する。１つの測定データの記録が終了すると、制御部１は、操作者の操作に応じて、あるいは、自動的に次の測定位置についての情報を記憶部３から読み出し、表示部４に表示させる。
【００３０】
操作者は、上記と同様にしてその表示に従って次の測定を行う。各測定位置について同様の操作を繰り返して行うことで、複数の測定位置について測定を行うことができる。
【００３１】
制御部１は、また、操作者によって入力部２からデータの保存指示がなされた場合には、記憶部３に記憶した複数の測定データを、測定位置あるいは測定番号を示す情報や測定条件を示す情報とともに、設定されているファイル名称を付けて所定のファイル形式で記憶部３の他の記憶領域に記憶する。
【００３２】
なお、記憶部３に記憶された測定されたデータは、所定の操作を行うことで、２次元あるいは３次元のグラフ表示によって、表示部４上に表示されるようになっている。また、記憶部３に記憶した測定データは、測定位置あるいは測定番号を示す情報とともに所定のファイル形式で読み出すことができるようになっている。したがって、記録されたデータは所定のグラフ表示用のプログラムから読み出すことで外部でグラフ、コンターなどに表示できる。
【００３３】
次に、図２〜図９を参照して、図１に示す測定器用データ収集装置を、携帯型のパーソナルコンピュータを用いて構成する場合の実施の形態について説明する。図２は本実施の形態の外観図、図３は同形態の動作を説明するためのフローチャート、図４および図７は測定位置を例示する図、そして、図５、図６、図８および図９は図２に示す表示部４の画面表示を例示する図である。なお、各図において、図１に示す各構成に対応するものには同一の符号を付けている。
【００３４】
図２に示す測定器用データ収集装置は、携帯型コンピュータ１００と、それに接続された測定器部５とを用いて構成されている。この例では、携帯型コンピュータ１００の本体部分１００ａに図１の制御部１、入力部２、および記憶部３が設けられていて、カバー部分１００ｂに表示部４が設けられている。また、測定器部５は、３軸方向を測定可能な磁気センサからなる測定プローブ５１と、アンプ５２およびＡ／Ｄ変換器５３ならびにインターフェース回路を収納したケース５４と、測定プローブ５１とケース５４とを接続するケーブル５５と、測定プローブ５１を支持するための台車５６および支柱５７とを備えて構成されている。
【００３５】
図２に示す構成を用いた磁界の測定におけるデータ収集例について図３〜図９を参照して説明する。この例では、測定器部５によって３軸（ｘ軸、ｙ軸、ｚ軸）方向成分の磁界を、図４に示すＸ−Ｙ平面上でＸ軸方向５点、Ｙ軸方向５点の合計２５点の測定点で計測して記録するものとする。
【００３６】
まず、操作者は、データ採取場所の調査を行い、測定点数と位置を決定する（図３のステップＳ１１）。次に、操作者は、本実施形態を構成するプログラムを起動し、表示部４上で、図５に示す測定条件の設定を行うための設定プロパティページ４０１を呼び出して、そこで各種設定情報の入力を行う。この例では、設定プロパティページ４０１は、設定プロパティページ４０１を呼び出す際に用いる設定タグ４０２のほか、Ｘ軸およびＹ軸の測定点数（ポイント数）を入力するための入力欄（テキストボックス）４０１ａおよび４０１ｂ、Ｘ軸およびＹ軸の測定点間隔（ポイント間隔）を入力するための入力欄４０１ｃおよび４０１ｄ、ならびに波形表示を行う際の波形長（時間）を入力するための入力欄４０１ｅを備えている。
【００３７】
この場合、測定位置を、２次元平面上でＸ軸方向×Ｙ軸方向にそれぞれ５×５＝２５点で、各２０ｃｍ間隔に設定するものとする。また波形長は３秒であるとする。
【００３８】
なお、この例における各測定位置で測定（記録）するデータは、ｘ、ｙ、ｚの３方向の各成分の値と、それらを２乗平均（ＲＭＳ）した値との４値であるとする。後述する波形表示の際の各測定値のサンプリング間隔は、波形長設定値を所定数（例えば５０点）を除した値に自動的に設定するか、あるいはサンプリング間隔を所定の範囲内で任意の値に設定するかできるようにしておく。ただし、これらの設定は図示していない他の設定画面ですでに行われているものとする。
【００３９】
図５に示すように表示部４に表示された設定プロパティページ４０１に必要な設定値を入力し、さらに入力部２の所定のキー（例えばエンターキー）を押下したとすると、測定点数と間隔がセットされ、各測定結果の記憶用の領域が記憶部３内に確保される（図３のステップＳ１２）。
【００４０】
上記の設定後、図５の設定ポイントタブ４１２を選択すると、図６に示すような測定画面（測定ポイントプロパティページ４１１）が作成され、表示される。図６に示す例では、測定ポイントプロパティページ４１１に、各測定点をその位置関係を視覚的に表示する領域４１１ａと、選択された任意の１点の測定データをリアルタイムに表示する表示領域４１１ｂと、当該選択された測定点の位置の表示欄４１１ｃと、操作者が測定データの記録すなわち取り込みを指示するための取り込みボタン４１１ｄと、測定波形の表示を指示するための波形モニタボタン４１１ｅとが設けられている。この場合、領域４１１ａは、Ｘ方向（図に向かって左右方向）およびＹ方向（図に向かって上下方向）に各５点ずつ、合計２５点の測定点を２次元平面上で表す格子状の図形となるようにして、各測定点に対応する１組の２５個のオプションボタン（ラジオボタン）によって構成されている。
【００４１】
また、測定ポイントプロパティページ４１１には、測定データや測定条件を記録する際のファイル名の入力欄４１１ｆと、入力欄４１１ｆで設定したファイル名でファイルの記録を指示するためのデータ保存ボタン４１１ｇとが設けられている。
【００４２】
この場合、図６は、現在、Ｘ＝２、Ｙ＝１の測定点が取り込み状態にあり、Ｘ＝１、Ｙ＝１〜５の５点の測定値の取り込みがすでに終わっている状態であることを示している。すなわち、Ｘ＝２、Ｙ＝１の現在取り込み状態にある測定点に対応するオプションボタン４１１ａ１が、選択状態で表示（黒丸付きで表示）されている。そして、取り込み済みの５点（Ｘ＝１、Ｙ＝１〜５）に対応するオプションボタン４１１ａ２の周囲には所定の色付け（図ではハッチング）がなされている。
【００４３】
一方、測定点の位置の表示欄４１１ｃには、Ｘ＝２、Ｙ＝１の測定点を示す「２−１」の表示がなされている。領域４１１ｂの３つの表示欄には、測定器部５で測定されている磁界の大きさを示すｘ、ｙ、ｚの３軸成分の値がそれぞれリアルタイムに表示されている（数値は図示せず）。
【００４４】
いま、操作者が、図７に示すように、その測定点（Ｘ＝２，Ｙ＝１）に対応する位置に測定器部５の測定プローブ５１を移動してセットすると、その測定点におけるｘ，ｙ，ｚ成分の三つの測定データが逐次入力されて、図６の表示欄４１１ｂにそれぞれ表示される。ここで、波形モニタボタン４１１ｅを選択（クリック）したとすると、図８に示すような測定値の変化を示す波形が図形表示される（図形表示する画面が開かれる）。
【００４５】
図８に示す画面（ウィンドウ）４２１は、波形表示領域４２１ａと、表示する成分の選択欄４２１ｂと、波形表示の縦軸（大きさ）の範囲の設定欄４２１ｃと、画面４２１を閉じるボタン４２１ｄとから構成されている。波形表示欄４２１ａには、図５の設定プロパティページ４０１で設定された波形長設定値（Ｔ時間とする）分の過去、および現在の測定データが波形として表示される。その際、表示される成分は、選択欄４２１ｂで選択されたｘ，ｙ，ｚ方向の一または全部であり、縦軸の範囲は、設定欄４２１ｃで設定された値となる。画面４２１を見ることで、操作者は、測定データの変化量をリアルタイムで確認することができる。画面４２１では、閉じるボタン４２１ｄが選択されると、画面が閉じられる。
【００４６】
次に、図６の測定ポイントプロパティページ４１１で、取り込みボタン４１１ｄをクリックしたとすると、ｘ，ｙ，ｚ方向の三つの成分のデータが取り込まれ、更にこれら３つの点の二乗平均（ＲＭＳ）が計算されて、全部で４つのデータが記憶部３の所定の領域に記録される（図３のステップＳ１４）。ここで、図６に示す領域４１１ａにおける（Ｘ＝２，Ｙ＝１）点に対応するオプションボタン４１１ａ１がデータを取り込み済みであることを示す表示状態（周囲に色付けした状態）で表示される。次に、自動的に、あるいは操作者の操作に従って、次の測定点の選択が行われて、選択された測定点に対応するオプションボタンが選択状態で表示される（図３のステップＳ１５）。
【００４７】
なお、図８の画面４２１は、取り込みボタン４１１ｄを選択する前に必ず閉じなければならないものではなく、例えば、常に開いた状態とすることができるようにしておいてもよい。その場合、表示される波形データは、取り込みボタン４１１ｄの操作や領域４１１ａにおける測定点の選択状態の変化に応じて初期化されるようにしておくこともできるし、あるいは取り込みボタン４１１ｄや領域４１１ａにおける測定点の選択状態の変化にかかわらず、測定プローブ５１による測定データを更新しながら常時波形表示するようにしておくこともできる。また、画面４２１を呼び出すことによる波形の確認を、取り込みボタン４１１ｄを押下する前の必須の操作としてもよいし、あるいは画面４２１を呼び出さなくても、取り込みボタン４１１ｄを押下することができるようにしてもよい。また、これらの操作手順の内容を、操作者が任意に設定できるようにしておくことも可能である。
【００４８】
図３のステップＳ１５で次の測定点の選択がなされた後、操作者は、その測定点に測定プローブ５１を移動させる。そして取り込みボタン４１１ｄをクリックすれば、同じようにデータが、記憶部３を構成するハードディスク等に取り込まれる（図３のステップＳ１４〜Ｓ１５）。この操作を測定すべきデータが全部無くなるまで行う。
【００４９】
全データが入力し終わったところで（図３のステップＳ１３）、データのチェックをする場合、チェック用の画面を呼び出す。この例では、図６に示す測定データｘタグ４３２、測定データｙタグ４４２、あるいは測定データｚタグ４５２のいずれかを選択することでデータチェック用の画面を呼び出すことができる。
【００５０】
図９は、チェック用の画面であって、図６に示す測定データｘタグ４３２が選択された場合に表示される測定データｘプロパティページ４３１を示している。測定データｘプロパティページ４３１は、各測定点の測定データのｘ成分を、３次元でグラフ化して表示する領域４３１ａから構成されている。この場合、領域４３１ａには、２５点の測定点のｘ成分の値が棒グラフとして３次元表示されている。操作者は、測定データｘプロパティページ４３１を呼び出すことで、測定データを定量的あるいは定性的に確認することができる。
【００５１】
また、図６に示す測定データｙタグ４４２あるいは測定データｚタグ４５２のいずれかが選択された場合には、図９と同様の画面が表示され、ｙ成分およびｚ成分のデータがグラフ表示されるようになっている。
【００５２】
上記のチェック用の画面によってデータに問題が確認された場合には、再度、測定ポイントタグ４１２を選択し、図６の測定ポイントプロパティページ４１１を呼び出して、測定点を選択した後、データの取り込みを行うことができる。データに問題がない場合には、図６の測定ポイントプロパティページ４１１で、記録ファイル名を入力欄４１１ｆに入力した後、データ保存ボタン４１１ｇを選択することで、記憶したデータや設定条件を入力欄４１１ｆに設定したファイル名で記録することができる。
【００５３】
以上のように、上記の実施形態によれば、予め設定した測定位置を示す情報に従って、データの測定位置を簡単な操作で選択することができるので、複数の測定位置についての測定をスムーズに行うことができ、データ収集のスピードアップを図ることができる。また、データ取り込みと同時に各測定値の意味の記録を行う必要がなくなるので、容易に作業を一人で行えるようになる。また、測定のセンサ部分（測定プローブ）を測定すべき位置に移動した後は、その確認のための簡単な操作（押しボタンに対する操作）だけでデータが収集できる。さらに、測定データの時間変化量をリアルタイムに確認することができ、安定したデータの取り込みが可能となる。また、容易にデータを読みだして見ることができる。さらに、周囲のデータと比較することで測定データのチェックがより精度良く随時行える。
【００５４】
なお、本発明の実施の形態は上記のものに限定されることなく、以下に例示するように、適宜変更可能である。例えば、図２を参照して説明した実施の形態では、測定位置を２次元平面上の複数の位置としていたが、高さ等も変化させた３次元空間内での異なる複数の位置としたり、あるいは、同一の測定位置で時間的な隔たりをもたせて測定する場合など、４次元における測定条件の変化としたりすることができる。その場合、測定画面においては、測定位置を３次元画像で表示したり、測定のタイミングを示す図形情報と同時に表示したりすることが考えられる。
【００５５】
また、図１の構成において、制御部１、記憶部３等の各構成は、例えば、その間を有線あるいは無線の通信回線を介して接続したり、表示部４を複数の場所に分散して配置したりすることが考えられる。また、入力部１は、キーボードやマウスに限らず、着脱自在な記録媒体に予め登録したデータを読み込むことによって各種設定を行ったり、あるいは通信回線を介してそれらの設定を行えるようにするものも含むこととする。また、図１の制御部１によって実行されるプログラムは、コンピュータ読み取り可能な記録媒体あるいは通信回線を介して頒布することができる。
【００５６】
次に、図１０を参照して図１に示す実施の形態の変形例について説明する。図１０において図１に示すものと同一またはほぼ同一の構成要素には同一の符号を付けている。図１０に示す測定器用データ収集装置は、各部を制御する制御部１ａと、制御部１ａの周辺装置としてそれぞれ機能する入力部２ａ、記憶部３、表示部４、および測定器部５とから構成されている。この場合、図１０の制御部１ａおよび入力部２ａは、図１の制御部１および入力部２に対応する構成であり、各部の外観は図２に示すものと同一であるとする。
【００５７】
制御部１ａは、図１の制御部１に対応する構成であり、同様に中央処理装置とメモリ等のその周辺装置とから構成されている。図１０の制御部１ａが図１の制御部１と異なるのは、測定値の極性を変換するための極性変換機能１２ａを備えている点である。極性変換機能１２ａは、測定器部５の測定プローブ５１による測定値の極性を、記憶部３に記憶する前にまたは記憶した後に操作者の設定に従って変換する機能である。
【００５８】
本実施の形態において、測定値の極性変換とは、磁界等のベクトル型の測定データの向き（すなわち極性）を他の向き（極性）に変更したり、測定データの成分（すなわち２次元あるいは３次元データの方向）を他の成分（方向）と交換したりすることを意味している。例えば、図１５の測定エリア１５１を示す平面図において、端部１５１ａで測定プローブ５１は、破線で示す通常の向きに対して反時計回りに９０度回転した向きで設置されている。このような設置方向で測定プローブ５１が出力する各成分ｘａ、ｙａ、ｚａは、通常の設置方向で測定プローブ５１が出力する各成分ｘ、ｙ、ｚの測定データに対して次の関係を有している。すなわち、ｘａ＝−ｙ、ｙａ＝ｘ、ｚ＝ｚの関係を有している。ここで、通常方向の測定データの各成分ｘ、ｙ、ｚの方向および向きは符号Ａで示す通りである。ｘ成分およびｙ成分については各矢印の向きが正の向きを示し、ｚ方向については図に向かって下から上が正の向きであるとしている。このような場合に、極性変換機能１２ａは、操作者の設定に従って、ｙａをｘ成分のデータに、−ｘａをｙ成分のデータに変換し、そしてｚａをｚ成分のデータに設定（非変換）する。
【００５９】
また、図１５の端部１５１ｂでは、測定プローブ５１が、破線で示す通常の向きに対して１８０度回転した向きで設置されている。このような設置方向で測定プローブ５１が出力する各成分ｘｂ、ｙｂ、ｚｂは、通常の設置方向で測定プローブ５１が出力する各成分ｘ、ｙ、ｚの測定データに対して、ｘｂ＝−ｘ、ｙｂ＝−ｙ、ｚ＝ｚの関係を有している。このような場合、極性変換機能１２ａは、操作者の設定に従って、−ｘｂをｘ成分のデータに、−ｙｂをｙ成分のデータにし、そしてｚｂをｚ成分のデータにそれぞれ変換（あるいは非変換）する。
【００６０】
図１０の入力部２ａは、図１の入力部２に対応する構成であり、同様にキーボード、マウス、ポインタ、各種スイッチ、あるいは表示部４と一体に設けられたタッチパネル等から構成されている。図１０の入力部２ａが図１の入力部２と異なるのは、測定値の極性変換の方法を設定するための極性変換設定機能２３ａを備えている点である。
【００６１】
次に図１１を参照して、図１０に示す構成による測定操作の一例について説明する。この例は、図３のフローチャートを参照して説明した図１の実施の形態における測定例と同様に、測定器部５によって３軸（ｘ軸、ｙ軸、ｚ軸）方向成分の磁界を、図４に示すＸ−Ｙ平面上でＸ軸方向５点、Ｙ軸方向５点の合計２５点の測定点で計測して記録する例である。図１１のフローチャートにおいて、図３に示すものと同一内容の処理には、同一の符号を付けている。
【００６２】
まず、操作者は、データ採取場所の調査を行い、測定点数と位置を決定する（図１１のステップＳ１１）。次に、操作者は、本実施の形態を構成するプログラムを起動する。そして、表示部４上で、図５に示す測定条件の設定を行うための設定プロパティページ４０１を呼び出して、そこで各種設定情報の入力を行う。この場合、測定位置を、２次元平面上でＸ軸方向×Ｙ軸方向にそれぞれ５×５＝２５点で、各２０ｃｍ間隔に設定するものとする。また波形長は３秒であるとする。
【００６３】
なお、この例における各測定位置で測定（記録）するデータは、ｘ、ｙ、ｚの３方向の各成分の値と、それらを２乗平均（ＲＭＳ）した値との４値であるとする。後述する波形表示の際の各測定値のサンプリング間隔は、波形長設定値を所定数（例えば５０点）を除した値に自動的に設定するか、あるいはサンプリング間隔を所定の範囲内で任意の値に設定するかできるようにしておく。ただし、これらの設定は図示していない他の設定画面ですでに行われているものとする。
【００６４】
図５に示すように表示部４に表示された設定プロパティページ４０１に必要な設定値を入力し、さらに入力部２の所定のキー（例えばエンターキー）を押下したとすると、測定点数と間隔がセットされ、各測定結果の記憶用の領域が記憶部３内に確保される（図１１のステップＳ１２）。
【００６５】
上記の設定後、図５の設定ポイントタブ４１２を選択すると、図１２に示すような測定画面（測定ポイントプロパティページ４１１０）が作成され、表示される。図１２に示す例では、測定ポイントプロパティページ４１１０に、各測定点をその位置関係を視覚的に表示する領域４１１ａと、選択された任意の１点の測定データをリアルタイムに表示する表示領域４１１ｂと、当該選択された測定点の位置の表示欄４１１ｃと、操作者が測定データの記録すなわち取り込みを指示するための取り込みボタン４１１ｄと、測定波形の表示を指示するための波形モニタボタン４１１ｅと、極性変換方法を設定するための極性切替ボタン４１１０ａとが設けられている。この場合、領域４１１ａは、Ｘ方向（図に向かって左右方向）およびＹ方向（図に向かって上下方向）に各５点ずつ、合計２５点の測定点を２次元平面上で表す格子状の図形となるようにして、各測定点に対応する１組の２５個のオプションボタン（ラジオボタン）によって構成されている。
【００６６】
また、測定ポイントプロパティページ４１１０には、測定データや測定条件を記録する際のファイル名の入力欄４１１ｆと、入力欄４１１ｆで設定したファイル名でファイルの記録を指示するためのデータ保存ボタン４１１ｇとが設けられている。
【００６７】
この場合、図１２は、現在、Ｘ＝２、Ｙ＝１の測定点が取り込み状態にあり、Ｘ＝１、Ｙ＝１〜５の５点の測定値の取り込みがすでに終わっている状態であることを示している。また、現在取り込み状態にあるＸ＝２、Ｙ＝１の測定点については、極性変換処理を実行させるという設定がなさた状態になっている。すなわち、Ｘ＝２、Ｙ＝１の現在取り込み状態にある測定点に対応するオプションボタン４１１ａ１が、選択状態で表示（黒丸付きで表示）されているともに、オプションボタン４１１ａ１の周囲部４１１０ａ１には所定の色付け（図ではハッチング）がなされている。さらに、取り込み済みの５点（Ｘ＝１、Ｙ＝１〜５）に対応するオプションボタン４１１ａ２の周囲部は所定の他の色で点滅した状態（図ではハッチング）で表示されている。
【００６８】
一方、測定点の位置の表示欄４１１ｃには、Ｘ＝２、Ｙ＝１の測定点を示す「２−１」の表示がなされている。領域４１１ｂの３つの表示欄には、測定器部５で測定されている磁界の大きさを示すｘ、ｙ、ｚの３軸成分の値がそれぞれリアルタイムに表示されている（数値は図示せず）。
【００６９】
なお、極性変換方法の設定は、領域４１１ａのオプションボタンを選択した後、極性切替ボタン４１１０ａを選択することで実行される。まず、極性変換の設定を行いたい領域４１１ａ内の２５個のオプションボタンのいずれかを選択する。この場合は、オプションボタン４１１ａ１が選択されているものとする。この状態で、極性切替ボタン４１１０ａをマウスでクリックする等して選択すると、図１３に示す変換方法を設定するための画面である切り替え軸指定画面４２１０が開かれる。切り替え軸指定画面４２１０には、ｘ、ｙ、ｚの各成分の変換方法の入力欄４２１０ａ１〜４２１０ａ３が設けられている。各成分の変換方法を入力した後、リターンキーなどを押下すると設定値が確定し、切り替え軸指定画面４２１０が閉じられる。
【００７０】
例えば図１５の例では、端部１５１ａで測定プローブ５１を破線で示す通常の向きに対して反時計回りに９０度回転した向きに設置している。この場合、入力欄４２１０ａ１〜４２１０ａ３には、それぞれ、「ｙ」、「−ｘ」、「ｚ」と入力する。これによって、図１０の極性変換機能１２ａは、測定プローブ５１の出力ｙ成分をｘ成分のデータに、出力−ｘ成分をｙ成分のデータに変換し、そして出力ｚ成分をそのままｚ成分のデータとする変換処理を行うことになる。また、図１５の例で端部１５１ｂの場合、測定プローブ５１は破線で示す通常の向きに対して１８０度回転した向きで設置される。この場合、入力欄４２１０ａ１〜４２１０ａ３には、それぞれ、「−ｘ」、「−ｙ」、「ｚ」と入力する。これによって、図１０の極性変換機能１２ａは、測定プローブ５１の出力−ｘ成分をｘ成分のデータに、出力−ｙ成分をｙ成分のデータに変換し、そして出力ｚ成分をそのままｚ成分のデータとする変換処理を行うことになる。
【００７１】
いま、操作者が、図７に示すように、その測定点（Ｘ＝２，Ｙ＝１）に対応する位置に測定器部５の測定プローブ５１を移動してセットすると、その測定点におけるｘ、ｙ、ｚ成分の三つの測定データが逐次入力され、さらに各成分の入力データが極性変換されて、図１２の表示欄４１１ｂにそれぞれ表示される。ここで、波形モニタボタン４１１ｅを選択（クリック）したとすると、図８に示すような測定値の変化を示す波形が図形表示される。
【００７２】
図８に示す画面（ウィンドウ）４２１は、波形表示領域４２１ａと、表示する成分の選択欄４２１ｂと、波形表示の縦軸（大きさ）の範囲の設定欄４２１ｃと、画面４２１を閉じるボタン４２１ｄとから構成されている。波形表示欄４２１ａには、図５の設定プロパティページ４０１で設定された波形長設定値（Ｔ時間とする）分の過去、および現在の測定データが波形として表示される。その際、表示される成分は、選択欄４２１ｂで選択されたｘ、ｙ、ｚ方向の一または全部であり、縦軸の範囲は、設定欄４２１ｃで設定された値となる。画面４２１を見ることで、操作者は、測定データの変化量をリアルタイムで確認することができる。画面４２１では、閉じるボタン４２１ｄが選択されると、画面が閉じられる。
【００７３】
次に、図１２の測定ポイントプロパティページ４１１０で、取り込みボタン４１１ｄをクリックしたとすると、ｘ、ｙ、ｚ方向の三つの成分の入力値を、設定に従って極性変換した各データが取り込まれ、更にこれら３つの点の二乗平均（ＲＭＳ）が計算されて、全部で４つのデータが記憶部３の所定の領域に記録される（図１１のステップＳ１４ａ）。ここで、図１２に示す領域４１１ａにおける（Ｘ＝２，Ｙ＝１）点に対応するオプションボタン４１１ａ１がデータを取り込み済みであることを示す表示状態（周囲部４１１０ａ１が極性変換設定位置であることを示す所定の色で点滅した状態）で表示される。次に、自動的に、あるいは操作者の操作に従って、次の測定点の選択が行われて、選択された測定点に対応するオプションボタンが選択状態で表示される（図１１のステップＳ１５）。
【００７４】
なお、図８の画面４２１は、取り込みボタン４１１ｄを選択する前に必ず閉じなければならないものではなく、例えば、常に開いた状態とすることができるようにしておいてもよい。その場合、表示される波形データは、取り込みボタン４１１ｄの操作や領域４１１ａにおける測定点の選択状態の変化に応じて初期化されるようにしておくこともできるし、あるいは取り込みボタン４１１ｄや領域４１１ａにおける測定点の選択状態の変化にかかわらず、測定プローブ５１による測定データを更新しながら常時波形表示するようにしておくこともできる。また、画面４２１を呼び出すことによる波形の確認を、取り込みボタン４１１ｄを押下する前の必須の操作としてもよいし、あるいは画面４２１を呼び出さなくても、取り込みボタン４１１ｄを押下することができるようにしてもよい。また、これらの操作手順の内容を、操作者が任意に設定できるようにしておくことも可能である。
【００７５】
図１１のステップＳ１５で次の測定点の選択がなされた後、操作者は、その測定点に測定プローブ５１を移動させる。そして、必要に応じて極性切替ボタン４１１０ａをクリックして極性変換の設定を行いながら、取り込みボタン４１１ｄをクリックすれば、同じようにデータが、記憶部３を構成するハードディスク等に取り込まれる（図１１のステップＳ１４ａ〜Ｓ１５）。この操作を測定すべきデータが全部無くなるまで行う。
【００７６】
全データが入力し終わったところで（図１１のステップＳ１３で判定結果が「ｙ」）、データのチェックをする場合、チェック用の画面を呼び出す。この例では、図１２に示す測定データｘタグ４３２、測定データｙタグ４４２、あるいは測定データｚタグ４５２のいずれかを選択することでデータチェック用の画面を呼び出すことができる。
【００７７】
図９は、チェック用の画面であって、図１２に示す測定データｘタグ４３２が選択された場合に表示される測定データｘプロパティページ４３１を示している。測定データｘプロパティページ４３１は、各測定点の測定データのｘ成分を、３次元でグラフ化して表示する領域４３１ａから構成されている。この場合、領域４３１ａには、２５点の測定点のｘ成分の値が棒グラフとして３次元表示されている。操作者は、測定データｘプロパティページ４３１を呼び出すことで、測定データを定量的あるいは定性的に確認することができる。
【００７８】
また、図１２に示す測定データｙタグ４４２あるいは測定データｚタグ４５２のいずれかが選択された場合には、図９と同様の画面が表示され、ｙ成分およびｚ成分のデータがグラフ表示されるようになっている。
【００７９】
上記のチェック用の画面によってデータに問題が確認された場合には、再度、測定ポイントタグ４１２を選択し、図１２の測定ポイントプロパティページ４１１０を呼び出して、測定点を選択した後、データの再取り込みを行ったり、極性変換の設定が誤っていると考えられるデータに対しては極性変換の設定変更を行ったりすることができる（図１１のステップＳ１６）。
【００８０】
また、データに問題がない場合には、図１２の測定ポイントプロパティページ４１１０で、記録ファイル名を入力欄４１１ｆに入力した後、データ保存ボタン４１１ｇを選択することで、記憶したデータや設定条件を入力欄４１１ｆに設定したファイル名で記録することができる（図１１のステップＳ１６）。
【００８１】
次に、図１４を参照して一旦記録したデータに対して極性変換の設定変更を行う場合の処理の一例について説明する。なお、図１４の各処理は、図１１のステップＳ１６内の処理としてとらえることが可能である。測定が終了し（図１４のステップＳ２１で「ｙ」）、極性変換をする場合（ステップＳ２２で「ｙ」）、記録ファイル名を設定したり、それを呼び出す操作を行ったりした後、さらに所定の操作を行って、図１２の測定ポイントプロパティページ４１１０を呼び出す。ここで、領域４１１ａのいずれかのオプションボタン（４１１ａ１等）を選択し、測定点を指定する（ステップＳ２３）。次に、極性切替ボタン４１１０ａをクリックして、切り替え軸指定画面４２１０を表示する。ここで、各成分の変換方法を入力欄４２１０ａ１〜４２１０ａ３に入力し、リターンキーなどを押下する。すると設定値が変更され、記憶部３に記憶されている測定データが変更された設定値に従って極性変換される。同時に、切り替え軸指定画面４２１０が閉じられる（ステップＳ２４）。
【００８２】
以上のように、上記実施の形態によれば、予め設定した測定位置を示す情報に従って、データの測定位置を簡単な操作で選択することができるので、複数の測定位置についての測定をスムーズに行うことができ、データ収集のスピードアップを図ることができる。また、データ取り込みと同時に各測定値の意味の記録を行う必要がなくなるので、容易に作業を一人で行えるようになる。また、測定のセンサ部分（測定プローブ）を測定すべき位置に移動した後は、その確認のための簡単な操作（押しボタンに対する操作）だけでデータが収集できる。さらに、測定データの時間変化量をリアルタイムに確認することができ、安定したデータの取り込みが可能となる。また、簡単な操作で各測定点の極性変換（極性の切替）を設定することができる。また、容易にデータを読み出して見ることができる。さらに、周囲のデータと比較することで測定データのチェックがより精度良く随時行える。
【００８３】
なお、図１０では、極性変換機能１２ａを制御部１ａによる一機能として実現しているが、例えば測定器部５内に同等の機能を持たせるようにすることもできる。この場合例えば、測定プローブ５１とアンプ５２の間に、極性変換回路を追加して設ける。そして、追加した極性変換回路によって測定プローブ５１の出力の極性を変換するようにする。その際、極性変換回路の変換方法は、例えば制御部１ａの指示によって変更可能としておくようにする。
【００８４】
【発明の効果】
以上説明したように本発明によれば、測定を行う複数の位置に関する情報を予め設定しておくことができ、測定時には測定する測定位置を示す情報が識別可能に表示されるとともに、設定された各測定位置に対応して各測定値が記憶されるので、複数の測定位置におけるデータ収集を容易に行うことができる。
【００８５】
また、測定したデータを図形によって表示したり、入力中の測定値を逐次表示したり、あるいはそれの時間変化量を表示したりすることで、データを監視しながら測定したり、記録したデータを確認・修正したりする作業を容易に行うことができる。
【００８６】
また、測定値の記録と波形の記録をワンタッチで行なえることで効率を良くすることができる。これにより測定時間を短縮できる。また波形が定常的な場合或いは変動する場合、更に交流の場合のあらゆる波形データを記録できる。
【００８７】
また、設定に従って、測定の際に即時に方向や向きの補正が行なえるようにしたので、測定現場での整理の手間を低減したり、簡単に分布グラフ等の正確な表示を行うことができる。
【図面の簡単な説明】
【図１】本発明による測定器用データ収集装置の一実施の形態の基本的な構成を示すブロック図
【図２】図１の測定器用データ収集装置の一具体例を示す外観図
【図３】図２の測定器用データ収集装置の動作（操作）を説明するためのフローチャート
【図４】図２の測定器用データ収集装置の動作（操作）説明の際の測定点の例を示す図
【図５】図２の表示部４における表示画面の一例（設定プロパティページ４０１）を示す図
【図６】図２の表示部４における表示画面の一例（測定ポイントプロパティページ４１１）を示す図
【図７】図２の測定器用データ収集装置の動作（操作）説明の際の測定プローブ５１の設置例を示す図
【図８】図２の表示部４における表示画面の一例（画面４２１）を示す図
【図９】図２の表示部４における表示画面の一例（測定データｘプロパティページ４３１）を示す図
【図１０】図１に示す本発明による測定器用データ収集装置の変形例（他の実施の形態）の基本的な構成を示すブロック図
【図１１】図１０の測定器用データ収集装置の動作（操作）を説明するためのフローチャート
【図１２】図１０の表示部４における表示画面の一例（測定ポイントプロパティページ４１１０）を示す図
【図１３】図１０の表示部４における表示画面の一例（画面４２１０）を示す図
【図１４】図１０の測定器用データ収集装置の動作（操作）を説明するための他のフローチャート
【図１５】図１０の測定器部５の各測定点での設置例を説明するための平面図
【符号の説明】
１、１ａ  制御部
２、２ａ  入力部
３  記憶部
４  表示部
５  測定器部
【図１】
2004245819.tif 000003
【図２】
2004245819.tif 000004
【図３】
2004245819.tif 000005
【図４】
2004245819.tif 000006
【図５】
2004245819.tif 000007
【図６】
2004245819.tif 000008
【図７】
2004245819.tif 000009
【図８】
2004245819.tif 000010
【図９】
2004245819.tif 000011
【図１０】
2004245819.tif 000012
【図１１】
2004245819.tif 000013
【図１２】
2004245819.tif 000014
【図１３】
2004245819.tif 000015
【図１４】
2004245819.tif 000016
【図１５】
2004245819.tif 000017